(57)【要約】【課題】  ページを開いたときにより歪みの発生しない、又はページを開いたときに破れにくいように紙を綴じることが可能な紙綴じ装置を提供することである。【解決手段】  ステープルが打ち出される打ち出し部２１を先端に持ち、複数のステープルを収容するマガジン部２０、及びマガジン部２０に収容されたステープルを打ち出すハンドル部２２を有するステープル打ち出し手段１９と、打ち出されたステープルの脚を折り曲げるためのクリンチャ部１２を有する、綴り用紙を載置するための載置部９とを備え、クリンチャ部１２は、複数あり、複数のクリンチャ部１２は、溝方向に実質上直線状に配置されている、紙綴じ装置である。【選択図】図１１
0003114176.tif 000002
【実用新案登録請求の範囲】
【請求項１】
ステープルが打ち出される打ち出し部を先端に持ち、複数の前記ステープルを収容するマガジン部、及び前記マガジン部に収容された前記ステープルを打ち出すハンドル部を有するステープル打ち出し手段と、
打ち出された前記ステープルの脚を折り曲げるためのクリンチャ部を有する、綴り用紙を載置するための載置部とを備えた、紙綴じ装置。
【請求項２】
前記クリンチャ部は、複数あり、
前記複数のクリンチャ部は、溝方向に実質上直線状に配置されている、請求項１記載の紙綴じ装置。
【請求項３】
前記ステープル打ち出し手段は、アーム部を更に有し、
前記アーム部、前記マガジン部、及び前記ハンドル部は、回動可能に、各々の後端にて連結されており、
前記マガジン部は、前記アーム部と前記ハンドル部の間に位置しており、
前記アーム部は、前記打ち出し部と対向する先端部分に開口部又は切断部を有する、請求項１記載の紙綴じ装置。
【請求項４】
前記載置部に載置されている綴り用紙を、前記載置台と挟み込むことによって固定状態とする固定手段を更に備え、
前記固定手段は、前記固定状態において前記クリンチャ部と対応する部分に、切り欠き部を有する、請求項１記載の紙綴じ装置。
【請求項５】
前記載置部に載置されている綴り用紙を、前記載置台と挟み込むことによって固定状態とする固定手段を更に備え、
前記固定手段は、前記固定状態において前記クリンチャ部と対応する部分に、切り欠き部を有し、
前記切り欠き部は、前記アーム部の先端が挿入可能であり、
前記固定状態において前記アーム部の先端が前記切り欠き部に挿入された場合、前記開口部内に前記クリンチャ部が配置される、請求項３記載の紙綴り装置。
【請求項６】
ステープルを打ち出す打ち出し部を先端に持ち、複数の前記ステープルを収容するマガジン部、及び前記マガジン部に収容された前記ステープルを前記打ち出し部から打ち出すハンドル部を有する、ステープル打ち出し手段によって打ち出された前記ステープルの脚を折り曲げるためのクリンチャ部を備えた、綴り用紙載置台。
【請求項７】
ステープルを打ち出す打ち出し部を先端に有し、複数の前記ステープルを収容するマガジン部と、
前記マガジン部に収容された前記ステープルを前記打ち出し部から、前記ステープルの脚を折り曲げるためのクリンチャ部を有する載置台に載置された綴り用紙に打ち出すハンドル部とを備えた、ステープル打ち出し装置。
【考案の詳細な説明】
【技術分野】
【０００１】
本考案は、中綴じ製本、特に新聞紙等の大きい用紙にも対応した紙綴じ装置に関する。
【背景技術】
【０００２】
喫茶店、旅館、図書館等におかれている新聞紙は、多数の人が読むため、ばらけたり、ページが無くならないようにステープルによって綴じられている。
【０００３】
この場合、図２６（ａ）に示すように、新聞紙１を中心線２を基準に半分に折り畳み、中心線２側（矢印方向）からステープラーを差し込みステープルを打ち出すことによって綴じられていた。
【考案の開示】
【考案が解決しようとする課題】
【０００４】
上述の場合、図２６（ａ）の裏面図である（ｂ）に示すように、複数のステープル３を直線４上に配置することが難しく、綴じ位置がランダムな綴じ込みになっていた。そのため、ページを開いた時に歪みが発生していた。
【０００５】
又、綴じしろ５があるため、図２６（ｃ）のようにページを開く際に、力が入るとステープル３で綴じている箇所から新聞紙１が破れやすかった。
【０００６】
本考案の目的は、従来の課題を解決するために、ページを開いたときにより歪みの発生しない、又はページを開いたときに破れにくいように紙を綴じることが可能な紙綴じ装置、綴り用紙載置台、及びステープル打ち出し装置を提供することである。
【課題を解決するための手段】
【０００７】
上述した目的を達成するために、第１の本考案は、
ステープルが打ち出される打ち出し部を先端に持ち、複数の前記ステープルを収容するマガジン部、及び前記マガジン部に収容された前記ステープルを打ち出すハンドル部を有するステープル打ち出し手段と、
打ち出された前記ステープルの脚を折り曲げるためのクリンチャ部を有する、綴り用紙を載置するための載置部とを備えた、紙綴じ装置である。
【０００８】
又、第２の本考案は、
前記クリンチャ部は、複数あり、
前記複数のクリンチャ部は、溝方向に実質上直線状に配置されている、第１の本考案の紙綴じ装置である。
【０００９】
又、第３の本考案は、
前記ステープル打ち出し手段は、アーム部を更に有し、
前記アーム部、前記マガジン部、及び前記ハンドル部は、回動可能に、各々の後端にて連結されており、
前記マガジン部は、前記アーム部と前記ハンドル部の間に位置しており、
前記アーム部は、前記打ち出し部と対向する先端部分に開口部又は切断部を有する、第１の本考案の紙綴じ装置である。
【００１０】
又、第４の本考案は、
前記載置部に載置されている綴り用紙を、前記載置台と挟み込むことによって固定状態とする固定手段を更に備え、
前記固定手段は、前記固定状態において前記クリンチャ部と対応する部分に、切り欠き部を有する、第１の本考案の紙綴じ装置である。
【００１１】
又、第５の本考案は、
前記載置部に載置されている綴り用紙を、前記載置台と挟み込むことによって固定状態とする固定手段を更に備え、
前記固定手段は、前記固定状態において前記クリンチャ部と対応する部分に、切り欠き部を有し、
前記切り欠き部は、前記アーム部の先端が挿入可能であり、
前記固定状態において前記アーム部の先端が前記切り欠き部に挿入された場合、前記開口部内に前記クリンチャ部が配置される、第３の本考案の紙綴り装置である。
【００１２】
又、第６の本考案は、
ステープルを打ち出す打ち出し部を先端に持ち、複数の前記ステープルを収容するマガジン部、及び前記マガジン部に収容された前記ステープルを前記打ち出し部から打ち出すハンドル部を有する、ステープル打ち出し手段によって打ち出された前記ステープルの脚を折り曲げるためのクリンチャ部を備えた、綴り用紙載置台である。
【００１３】
又、第７の本考案は、
ステープルを打ち出す打ち出し部を先端に有し、複数の前記ステープルを収容するマガジン部と、
前記マガジン部に収容された前記ステープルを前記打ち出し部から、前記ステープルの脚を折り曲げるためのクリンチャ部を有する載置台に載置された綴り用紙に打ち出すハンドル部とを備えた、ステープル打ち出し装置である。
【考案の効果】
【００１４】
本考案によれば、ページを開いたときにより歪みの発生しない、又はページを開いたときに破れにくいように紙を綴じることが可能な紙綴じ装置、綴り用紙載置台、及びステープル打ち出し装置を提供することが出来る。
【考案を実施するための最良の形態】
【００１５】
以下、本考案にかかる実施の形態について図面を参照しながら説明する。
【００１６】
（実施の形態１）
以下に、本考案にかかる実施の形態１における紙綴じ装置の構成について説明する。
【００１７】
図１は本実施の形態１の紙綴じ装置の載置部の斜視図である。
【００１８】
図１に示すように、本実施の形態１の載置部９は、一方向に長く、その方向と垂直な断面が任意の箇所において同一形状のプラスチックを材料とした台座１０を備えている。この台座１０の断面は、上底が下底よりも短い実質上台形形状である。この台座１０の上部には、板形状の金属製の台座１１が載置されている。
【００１９】
この台座１１上にステープルの脚を折り曲げるためのクリンチャ部１２が６個配置されている。このクリンチャ部１２には、図２に示すように、その上面にステープルの脚を折れ曲げるためのクリンチャ溝１３が形成されている。６個のクリンチャ部１２は、図１に示すようにクリンチャ溝１３の形成されている方向に直線状に配置されている。
【００２０】
又、６個のクリンチャ部１２の両端より台座１１の端側に、位置決め部１８が設置されている。これらの２個の位置決め部１８の間に新聞紙１が載置される。
【００２１】
又、本実施の形態１の紙綴じ装置は、図１に示すように台座１１の一方の端に設置された蝶番１７を介して、載置部９に対して回動可能に設置された、本発明の固定手段の一例である固定具１４を有している。この固定具１４は、台座１１と実質上同じ長さを有する金属製の板状部材である。又、固定具１４には、矢印方向に固定具１４を回動させ台座１１と接触させた場合に、６個のクリンチャ部１２に対向する箇所の各々に矩形状の切り欠き部１５が形成されている。更に、上述した位置決め部１８に対応した形状の矩形状の位置決め用切り欠き部３１が形成されている。
【００２２】
又、台座１１の蝶番１７と反対側の端には、固定具１４を台座１１上に押さえるための押さえ冶具１６が設置されている。図３に、固定具１４を下方に下ろし、押さえ冶具１６によって押さえられている状態の正面図を示す。図３に示すように、押さえ冶具１６は、台座１１から実質上垂直上向きに形成されている板状の支持部１６ａと、その上端から台座１１の外側に向かって、支持部１６ａに対して垂直に形成されている板状の押さえ部１６ｂとを有するＬ字型の部材である。この支持部１６ａには台座１１の内側方向の平面に、ストッパー１６ｃが形成されている。尚、図３に示すように固定具１４は、切り欠き部１５の周囲１４ｂの厚さが厚くなっている。
【００２３】
図４に図３の状態の斜視図を示す。ストッパー１６ｃは、楕円柱を上面から底面まで、それら面に対して垂直方向に４等分したような形状であり、その曲面が上方に位置するように設置されている。又、固定具１４の端１４ａも底面側に曲面が形成されている。ストッパー１６ｃの下方に固定具１４の端１４ａが入り込むことによって、固定具１４は上面からストッパー１６ｃによって押さえられることとなる。又、図５の正面図に示すように、押さえ冶具１６の押さえ部１６ｂを上方から押さえる（矢印ａ方向）ことによって、支持部１６ａが台座１１の外側に向かって傾き、それに伴ってストッパー１６ｃも外側に傾く。そのため、ストッパー１６ｃは、固定具１４の端１４ａ上に位置しなくなり、固定具１４を上方に移動させる（矢印ｂ方向）ことが可能となる。
【００２４】
図６は、固定具１４を台座１１上に下ろした状態の平面図である。各クリンチャ溝１３上に、溝方向と平行であって、溝の幅の中心を通るように中心線３０が引かれている。この中心線３０は台座１１、固定具１４、及び位置決め部１８上にも引かれている。この台座１１に引かれている中心線と固定具１４に引かれている中心線の位置が、上方から見てずれているときは、固定具１４と位置決め部１８の位置関係を調整する必要があることが分かる。尚、図６では、判別し易くするために中心線３０は一点鎖線で示している。
【００２５】
なお、位置決め部１８の間の長さＬは、本実施の形態１では新聞紙に対応するために約５５ｃｍに設定されている。
【００２６】
図７は、本実施の形態１の紙綴じ装置のステープル打ち出し手段の斜視図である。図７に示すように、ステープル打ち出し手段１９は、一般に市販されているステープラーと同様に、ステープルを収納するマガジン部２０を備え、その先端部にマガジン部２０の下方に向かってステープルを打ち出すための打ち出し部２１が形成されている。又、マガジン部２０の上部には、ステープルを打ち出し部２１より打ち出すためのハンドル部２２が設置されている。又、マガジン部２０の下方にはアーム部２３が設置されており、マガジン部２０、ハンドル部２２、及びアーム部２３は後端の連結部２４にて回動可能に連結している。
【００２７】
一般に市販されているステープラーでは、アーム部２３の打ち出し部２１に対向する位置には、ステープルの脚を折り曲げるためのクリンチャ部が形成されているが、本実施の形態１のステープル打ち出し手段のアーム部２３には、クリンチャ部が形成されておらず、開口部２６が形成されている。この開口部２６は、仮にクリンチャ部が形成されているとした部分を囲むように設けられた枠２５によって形成されている。
【００２８】
尚、本実施の形態１の載置部９が、本考案の載置台の一例に相当し、本実施の形態１のステープル打ち出し手段１９が、本考案のステープル打ち出し装置の一例に相当する。
【００２９】
次に、上記構成の本実施の形態１における紙綴じ装置を用いて紙を綴じる動作について説明する。尚、本実施の形態１では、本発明の綴り用紙の一例として新聞紙を用いている。
【００３０】
はじめに、新聞紙１を整理し、クリップ７０で固定する。この際に、新聞紙１の総ページ数が４で割れない場合には、半紙が存在するため、半紙については１ｃｍ程度中心線２よりに押し込んでから固定する。新聞紙１の固定には、他の器具であってもよく、要するにページがばらけないように固定出来さえすればよい。尚、図８では新聞紙１は、上下２カ所をクリップ７０で挟まれることにより固定されているが、このような固定方法に限らず、図８の矢印で示した位置Ｘの１箇所だけがダブルクリップ８０で挟まれることにより固定されてもよい。
【００３１】
次に、図１のように固定具１４を持ち上げて、図８に示すように新聞紙１を中心線３０に新聞紙１の中心線２が合うように載置部９の台座１１上に載置する。載置する際には、新聞紙１の一面が上方を向くようにする。尚、図８では、説明のため、固定具１４を省略している。
【００３２】
次に、図９に示すように固定具１４を下ろし、新聞紙１を台座１１と固定具１４で挟み込むことによって固定する。図１０に、図９のＳ部拡大図を示す。図１０の拡大図に示すように、クリンチャ部１２上に新聞紙１が位置し、その新聞紙１が固定具１４によって固定されており、クリンチャ溝１３内に形成されている中心線３０上に新聞紙１の中心線２が位置している。
【００３３】
次に、切り欠き部１５にステープル打ち出し手段１９の枠２５が配置される。この状態を示すのが、図１１である。このように配置することによって、クリンチャ部１２は、開口部２６内に配置されることになり、打ち出し部２１に対応する位置に配置されることになる。
【００３４】
この状態で、一般のステープラーと同様に、ステープル打ち出し手段１９のハンドル部２２を押し下げることによって、マガジン部２０に収納されているステープルが打ち出し部２１から打ち出され、ステープルの脚は新聞紙１を貫き、クリンチャ溝１３によって折れ曲げられる。
【００３５】
同様の操作を、他の５つの切り欠き部１５毎に行うことによって、図１２に示すように新聞紙１の中心線２に沿って、ステープルの幅方向にステープル４９ａ、４９ｂ、４９ｃ、４９ｃ′、４９ｂ′、４９ａ′が配列した綴じ方が出来る。
【００３６】
上述したように、新聞紙を、その中心線２である折り目上に沿ってステープルによって綴じることが出来るため、綴じしろがなく、ページをめくる際にも破れ難い。そのため、複数の人が閲覧してもページが乱れず、きれいな状態を保つことが出来る。
【００３７】
尚、本実施の形態１では、図１に示すように６個のクリンチャ部１２は等間隔に配置されておらず、中央に配置されている２個の間隔は狭くなっているが、等間隔に配置されていても良い。又、クリンチャ部の個数は６個に限らない。
【００３８】
又、本実施の形態１では、図１２に示すようにステープル４９ａ、４９ｂ、４９ｃ、４９ｃ′、４９ｂ′、４９ａ′が配置されている六カ所で、新聞紙１が綴じられているが、ステープル４９ａ、４９ｃ、４９ｃ′、４９ａ′が配置されている四カ所だけで綴じられていてもよく、更に、ステープル４９ｂ、４９ｂ′が配置されている２カ所だけで綴じられていてもよい。この場合、対応する位置の切り欠き部１５及びクリンチャ部１２にのみステープル打ち出し手段１９を配置し、ステープルを打ち出せばよい。
【００３９】
又、本実施の形態１では、新聞紙を例に挙げて説明しているが、手作り雑誌、マイノート作り等に適用してもよい。更に、位置決め部１８の間の長さＬは、新聞紙に合わせるために約５５ｃｍに設定しているが、綴り用紙の大きさにあわせて適宜変更可能である。
【００４０】
又、本実施の形態１では、クリンチャ部１２が金属製の台座１１の上に設置されているが、台座１１に直接クリンチャ部が形成されていてもよい。このような構成の場合、台座１１上に凸部が存在しなくなるため、綴り用紙を載置し易くなる。
【００４１】
又、本実施の形態１では、固定具１４は金属製であるが樹脂製であっても良く、要するに載置部に載置された綴り用紙を固定出来さえすればよい。
【００４２】
又、本実施の形態１では、台座１１と固定具１４は蝶番１７によって連結されているが、この蝶番部分にスプリングを用いて図１のような開いた状態を保持できるような構成であってもよい。
【００４３】
又、台座１０及び１１を合わせた高さは、少なくとも、ステープラー打ち出し手段１９を握ることが出来るように手が入ることが可能な高さでありさえすればよい。
【００４４】
又、本実施の形態１では、固定具１４の、切り欠き部１５の周囲１４ｂの厚みが他の場所と比較して厚くなっており、枠２５を切り欠き部１５に挿入し易いが、固定具１４の厚みが一定であってもよい。
【００４５】
又、本実施の形態１のステープラー打ち出し手段のアーム部２３は、枠２５によって形成された開口部２６を有しているが、枠２５を設けずに、仮にクリンチャ部が形成されているとした部分がなくてもよい。この、仮にクリンチャ部が形成されているとした部分がないアーム部が、本発明の切断部を有するアームの一例に相当する。
【００４６】
このような場合、アーム部２３の幅は切り欠き部１５の幅と実質上同一であり、又、アーム部２３の長さは、クリンチャ部１２に向けてステープルを打ち出す際に、その先端が少なくとも切り欠き部１５の入口に挿入される長さである方が、ステープルを打ち出す際に安定するためより好ましい。この状態を示すのが図１３である。
【００４７】
又、アーム部が、切り欠き部１５の入口に挿入可能な長さを有していない場合でも、切り欠き部１５にマガジン部２０を挿入し、打ち出し部２１をクリンチャ溝１３の位置に合わせ、ステープルを打ち出して新聞紙１を綴じても良い。
【００４８】
又、本実施の形態１の紙綴じ装置は固定具１４を備えていなくてもよい。固定具１４を備えていない場合は、載置部９上に新聞紙１を載置し、クリンチャ溝１３に対応するように打ち出し部２１の位置を合わせ、ステープルを打ち出すことによって本実施の形態１と同様に用紙を綴じることが可能となる。
【００４９】
しかしながら、本実施の形態１の構成のように固定具１４を備えていた方が、新聞紙１を固定出来、更に、より簡易に打ち出し部２１をクリンチャ溝１３に合わせることが出来るため好ましい。
【００５０】
（実施の形態２）
以下に、本実施の形態２における紙綴じ装置について説明する。尚、本実施の形態２の紙綴じ装置は、実施の形態１と基本的構成は同じであるが、固定具１４に代えて回動可能なレールを設置し、そのレール上をステープル打ち出し手段が移動する点が異なる。
【００５１】
図１４に本実施の形態２の紙綴じ装置の外観斜視図を示す。本実施の形態２の紙綴じ装置は、実施の形態１の固定具１４の代わりにレール部４０を備えている。このレール部４０は、台座１１の長さ方向に互いに平行な３本のレール４０ａ、４０ｂ、４０ｃを有している。又、ステープル打ち出し手段４１が、レール４０ａ、ｂ、ｃ上を移動可能に、レール部４０に固定されている。尚、台座１１の幅は実質上ステープル打ち出し手段４１の長さと同等の長さになっている。
【００５２】
図１５は、レール部４０を台座１１上に載置した状態の紙綴じ装置の側面図である。クリンチャ部１２は、台座１１の端近傍に配置されており、図１５に示すように、レール４０ａとレール４０ｂはクリンチャ部１２を挟んで配置され、レール４０ｃは、クリンチャ部１２に対して反対側の端近傍に配置されている。
【００５３】
このステープル打ち出し手段４１は、実施の形態１のステープル打ち出し手段１９と同様に、マガジン部４２、ハンドル部４３、及びアーム部４４を有しており、クリンチャ部が形成されていると仮定した部分を囲むように枠４５が形成されている。図１６は枠４５の拡大斜視図である。アーム部４４の長さ方向と平行な２辺を４５ａ、４５ｂとし、アーム部４４の幅方向と平行な１辺を４５ｃとする。又、アーム部４４の先端の辺を４４ａとする。辺４５ｃは辺４４ａと実質上同じ高さに位置しているが、辺４５ａ及び辺４５ｂは、アーム部４４より高い位置に設置されている。又、枠４５の４隅の底面側には、アーム部４４の長さ方向であって、アーム部４４の外側に向かって、斜め上向きに形成されたレール４０ａ、４０ｂに嵌合する傾斜部４６が形成されている。
【００５４】
又、図１５に示すようにレール４０ａ及びレール４０ｂは断面形状が上方の開いたコの字形であり、ステープル打ち出し手段４１が設置されている反対側の辺の上端から、上方の開口を閉鎖するように下方に傾斜した傾斜部４０ａ１が形成されている。また、レール４０ｂにも同様に傾斜部４０ｂ１が形成されている。これら傾斜部４０ａ１及び４０ｂ１の下面と傾斜部４６の上面が対向するように、ステープラー打ち出し手段４１の枠４５が配置されている。又、アーム部４４の下面には、断面形状が先端に向けて１辺の開いたコの字形の部材４７が配置されている。上述したレール４０ｃの断面形状は、ステープラー打ち出し手段４１の後端側が開いているコの字形であり、部材４７と嵌合する形状になっている。
【００５５】
図１７は、レール部４０を台座１１上に載置した状態の紙綴じ装置斜視図である。上述した構成によって、ステープル打ち出し手段４１が、レール４０ａ、４０ｂ、４０ｃ上を図１７の矢印方向に移動可能となる。尚、図１７では、図を見やすくするために中心線３０は記載していない。尚、図１５の側面図に示すように、辺４５ａ及び４５ｃは、アーム部４４より高い位置に配置されているが、これはステープラー打ち出し手段４１がレール４０ａ、４０ｂ、４０ｃ上を移動する際にクリンチャ部１２と干渉しないようにするためである。
【００５６】
上記構成の本実施の形態２の紙綴じ装置の動作について以下に説明する。
【００５７】
レール部４０を図１４に示すよう持ち上げて、台座１１の上の２個の位置決め部１８の間に新聞紙１を載置する。この新聞紙１を載置する際には、実施の形態１と同様に、中心線３０に新聞紙１の中心線２が合うようにする。又、新聞紙１に半紙が存在する場合には、その半紙を１ｃｍ程度中心線２よりに押し込んで、洗濯バサミ、クリップ等で固定する。
【００５８】
次に、レール部４０を新聞紙１上に下ろすことによって、実施の形態１と同様に、レール部４０は押さえ治具１６で新聞紙１上に固定される。
【００５９】
続いて、レール４０ａ、４０ｂ、４０ｃ上をステープル打ち出し手段４１を目印４８に合うように移動することによって、ステープル打ち出し手段４１の枠４５内にクリンチャ部１２が配置されることになる。
【００６０】
この状態で、ハンドル部４３を押さえることによってステープルが打ち出され、ステープルの脚は新聞紙１を貫き、クリンチャ溝１３で折れ曲げられる。これを各クリンチャ部１２で行うことによって、図１２に示したように新聞紙１を綴じることが出来る。尚、目印４８は各クリンチャ部１２毎に、ステープル打ち出し手段４１が対応する位置に来るようにレール４０ａにつけられている。
【００６１】
尚、本実施の形態２のクリンチャ部も実施の形態１で述べたように台座１１に直接形成しても良く、その場合は辺４５ａ及び４５ｂの位置をアーム部４４の位置と同じ高さにすることが出来る。
【００６２】
又、本実施の形態２では、レール４０ａにのみ目印を付けていたが、レール４０ｂ及び４０ｃにも付けてもよい。
【００６３】
（実施の形態３）
以下に、本考案に関連する考案の実施の形態について説明する。
【００６４】
図１８は、本考案に関連する考案の実施の形態３におけるステープル脚折り曲げ具の斜視図である。図１８に示すように、本実施の形態３におけるステープル脚折り曲げ具は、折り曲げ部５０と、折り曲げ部５０の上部に取り付けられている把持部５１とを備えている。折り曲げ部５０の底面には、溝５２が形成されている。図１９は、溝５２の形状のみを示した図である。溝５２は、実施の形態１で述べたクリンチャ溝１３と実質上は同じであるが、実施の形態１の溝と比較すると溝の深さが深くなっている。
【００６５】
上記構成の本実施の形態３におけるステープル脚折り曲げ具の使用方法を以下に説明する。
【００６６】
図２０は、ステープル６０を収納するマガジン部６１と、マガジン部６１の上部に配置され、ステープルを打ち出すためのハンドル部６２と、マガジン部６１を基準にしてハンドル部６２の反対側に配置されたクリンチャ部を有するクリンチャアーム部６３とを備えた市販されているステープラーを示す図である。これらマガジン部、ハンドル部６２、及びクリンチャアーム部６３は、各々の後端で、回動可能に接続されている。このクリンチャアーム部６３のみを図２１に示すように、実質上ハンドル部６２と一直線になるように回動させる。この状態でハンドル部６２を押し下げることによってもステープルを打ち出すことが可能である。すなわち、実施の形態１及び２で示した新聞紙１の中心線２に沿ってステープルを打ち出し、その脚が新聞紙１を貫通した状態にすることが可能である。しかしながら、クリンチャアーム部６３のクリンチャに向かって打ち出していないためにステープル６０の脚は曲げられずに伸びた状態である。図２２は、ステープル６０を打ち出した新聞紙１の側面図である。
【００６７】
図２２の状態のステープル６０の２本の脚６０ａが突き出ている方向から、把持部５１を手で持ち、実施の形態３におけるステープル脚折り曲げ具を下ろす。
【００６８】
図２３は、ステープル６０に向かってステープル脚折り曲げ具を下ろしている状態を示す正断面図である。図２３に示すように、溝５２に脚６０ａが挿入されるようにステープル脚折り曲げ具を下ろす。そして、ステープル脚折り曲げ具を、その底面が新聞紙１に当接するまで下ろすと、図２４に示すように、脚６０ａが溝５２の天井に当たって、内側に向かって折れ曲がる。最後に、ステープル脚折り曲げ具を取り除き、指や、折り曲げ具の溝５２以外の底面等で新聞紙１の平面に密着するまで脚６０ａを更に押すことによって、図２５に示すように、脚６０ａを平らにすることが出来る。
【００６９】
このように、ステープル脚折り曲げ具を使用することによって、途中までではあるが、ステープルの脚を折り曲げているため、ほぼ垂直な状態から指などでステープルの脚を平らにすることに比較して、安易に平らにすることが出来る。
【００７０】
又、溝５２の深さが、一般に市販されているステープラーのクリンチャ部の溝よりも深いため、脚を折り曲げる際にステープルを地面に対して垂直に保つことが出来るので、ステープルの脚をステープルに沿って折り曲げやすい。
【産業上の利用可能性】
【００７１】
本考案の紙綴じ装置、綴り用紙載置台、及びステープル打ち出し装置によれば、ページを開いたときにより歪みの発生しない、又は、ページを開いたときに破れにくいように紙を綴じることが可能であり、喫茶店、図書館等に置かれている新聞紙等の大型の用紙を綴じる際等に有用である。
【図面の簡単な説明】
【００７２】
【図１】本考案にかかる実施の形態１における紙綴じ装置の載置部の斜視図
【図２】本考案にかかる実施の形態１における紙綴じ装置のクリンチャ部の斜視図
【図３】本考案にかかる実施の形態１における紙綴じ装置の載置部の先端部分の正面図
【図４】本考案にかかる実施の形態１における紙綴じ装置の載置部の先端部分の斜視図
【図５】本考案にかかる実施の形態１における紙綴じ装置の載置部の先端部分の正面図
【図６】本考案にかかる実施の形態１における紙綴じ装置の載置部の平面図
【図７】本考案にかかる実施の形態１における紙綴じ装置のステープル打ち出し手段の斜視図
【図８】本考案にかかる実施の形態１における紙綴じ装置の載置部に新聞紙を載置した状態を示す斜視図
【図９】本考案にかかる実施の形態１における紙綴じ装置の載置部に新聞紙を固定した状態を示す斜視図
【図１０】本考案にかかる実施の形態１における紙綴じ装置の載置部に新聞紙を固定した状態を示す要部拡大斜視図
【図１１】本考案にかかる実施の形態１における紙綴じ装置の載置部にステープル打ち出し手段を組み合わせた状態を示す斜視図
【図１２】本考案にかかる実施の形態１における紙綴じ装置を用いて綴じられた新聞紙を示す図
【図１３】本考案にかかる実施の形態１の変形例における紙綴じ装置を示す斜視図
【図１４】本考案にかかる実施の形態２における紙綴じ装置の斜視図
【図１５】本考案にかかる実施の形態２における紙綴じ装置の側面図
【図１６】本考案にかかる実施の形態２における紙綴じ装置のステープル打ち出し手段の先端部の斜視図
【図１７】本考案にかかる実施の形態２における紙綴じ装置の斜視図
【図１８】本考案に関連する考案にかかる実施の形態３におけるステープル脚折り曲げ具の斜視図
【図１９】本考案に関連する考案にかかる実施の形態３におけるステープル脚折り曲げ具の溝の形状を示す斜視図
【図２０】市販されているステープラーの構成図
【図２１】市販されているステープラーのクリンチャアーム部を回動させた状態を示す図
【図２２】新聞紙にステープルの脚が貫通した状態を示す図
【図２３】本考案に関連する考案の実施の形態３におけるステープル脚折り曲げ具を用いてステープルの脚を折り曲げる動作を説明するための図
【図２４】本考案に関連する考案の実施の形態３におけるステープル脚折り曲げ具を用いてステープルの脚を折り曲げる動作を説明するための図
【図２５】本考案に関連する考案の実施の形態３におけるステープル脚折り曲げ具を用い手ステープルの脚を折り曲げる動作を説明するための図
【図２６】（ａ）〜（ｃ）従来の新聞紙を綴じている状態を説明するための図
【符号の説明】
【００７３】
１  新聞紙
２  中心線
３  ステープル
４  直線
５  綴じしろ
１０、１１  台座
１２  クリンチャ部
１３  クリンチャ溝
１４  固定具
１５  切り欠き部
１６  押さえ治具
１７  蝶番
１８  位置決め部
１９  ステープル打ち出し手段
２０  マガジン部
２１  打ち出し部
２２  ハンドル部
２３  アーム部
２４  連結部
２５  枠
２６  開口部
【図１】
0003114176.tif 000003
【図２】
0003114176.tif 000004
【図３】
0003114176.tif 000005
【図４】
0003114176.tif 000006
【図５】
0003114176.tif 000007
【図６】
0003114176.tif 000008
【図７】
0003114176.tif 000009
【図８】
0003114176.tif 000010
【図９】
0003114176.tif 000011
【図１０】
0003114176.tif 000012
【図１１】
0003114176.tif 000013
【図１２】
0003114176.tif 000014
【図１３】
0003114176.tif 000015
【図１４】
0003114176.tif 000016
【図１５】
0003114176.tif 000017
【図１６】
0003114176.tif 000018
【図１７】
0003114176.tif 000019
【図１８】
0003114176.tif 000020
【図１９】
0003114176.tif 000021
【図２０】
0003114176.tif 000022
【図２１】
0003114176.tif 000023
【図２２】
0003114176.tif 000024
【図２３】
0003114176.tif 000025
【図２４】
0003114176.tif 000026
【図２５】
0003114176.tif 000027
【図２６】
0003114176.tif 000028